(57)【要約】【課題】使用者が意図せずに打撃部が第１方向に作動することを抑制可能な打込機を提供する。【解決手段】操作力が付加及び解除されるトリガ１４と、相手材Ｗ１に接触及び離間が可能なプッシュレバー１５と、相手材Ｗ１に打ち込む釘５２を打撃する第１方向Ｃ１、第１方向Ｃ１とは逆の第２方向Ｃ２に作動可能な打撃部１３と、トリガ１４に操作力が付加されている状態でプッシュレバー１５が相手材Ｗ１に接触すると気体が供給され、かつ、打撃部１３を気体の圧力で第１方向Ｃ１に作動させるピストン上室２９と、を備えた打込機１０であって、打撃部１３が釘５２を打撃し、かつ、プッシュレバー１５が相手材Ｗ１から離間した時点から、所定時間内にプッシュレバー１５が相手材Ｗ１に接触すると、ピストン上室２９に気体が供給されることを阻止するストッパ７５が設けられている。【選択図】図１
2020146821.tif 000002
【特許請求の範囲】
【請求項１】
操作力が付加及び解除される操作部材と、
相手材に接触及び離間が可能な接触部材と、
相手材に打ち込む留具を打撃する第１方向、前記第１方向とは逆の第２方向に作動可能な打撃部と、
前記操作部材に操作力が付加されている状態で前記接触部材が相手材に接触すると気体が供給され、かつ、前記打撃部を気体の圧力で前記第１方向に作動させる圧力室と、
を備えた打込機であって、
前記打撃部が前記留具を打撃した後、前記接触部材が相手材から離間した時点から、所定時間内に前記接触部材が相手材に接触すると、前記圧力室に気体が供給されることを阻止する阻止機構が設けられている、打込機。
【請求項２】
前記打撃部を作動可能に支持するハウジングと、
前記ハウジング内に設けられ、かつ、気体を収容する蓄圧室と、
前記圧力室から気体を排出させる第１状態、及び前記蓄圧室から気体を前記圧力室に供給させる第２状態を有する切替機構と、
が設けられ、
前記阻止機構は、前記切替機構を前記第１状態に保持することにより、前記圧力室に気体が供給されることを阻止する、請求項１記載の打込機。
【請求項３】
前記打撃部を気体の圧力で前記第２方向に作動させる戻し室が、前記ハウジング内に設けられ、
前記阻止機構は、前記ハウジングに対して待機位置と阻止位置との間で作動可能に取り付けられ、かつ、前記戻し室の気体の圧力で前記待機位置から前記阻止位置へ作動し、
前記阻止機構の前記待機位置は、前記切替機構が前記第１状態から前記第２状態に切り替わることを可能とする位置であり、
前記阻止機構の前記阻止位置は、前記切替機構を前記第１状態に保持する位置である、請求項２記載の打込機。
【請求項４】
前記切替機構は、
気体の圧力で作動し、かつ、前記圧力室と前記蓄圧室とを接続する接続状態、及び前記圧力室と前記蓄圧室とを遮断する遮断状態を備えた第１バルブと、
前記操作部材に対する操作力の付加及び解除、かつ、相手材に対する前記接触部材の接触及び離間に応じて作動する第２バルブと、
を有し、
前記第２バルブは、
前記第１バルブを遮断状態とする初期状態と
前記第１バルブを接続状態とする作動状態と、
と切り替え可能であり、
前記切替機構の前記第１状態は、前記第１バルブが遮断状態であり、かつ、前記第２バルブの初期状態であることを含み、
前記切替機構の前記第２状態は、前記第１バルブが接続状態であり、かつ、前記第２バルブの作動状態であることを含む、請求項３記載の打込機。
【請求項５】
前記第２バルブは、前記操作部材の作動及び前記接触部材の作動によって前記初期状態と前記作動状態とが切り替わる作動部材を有し、
前記第１バルブは、前記作動部材が前記初期状態であると前記遮断状態を保持し、かつ、前記作動部材が前記初期状態から前記作動状態に切り替わると、前記遮断状態から前記接続状態に切り替わり、
前記阻止機構は、前記作動部材を前記初期状態に保持することにより、前記第１バルブを前記遮断状態に保持する、請求項４記載の打込機。
【請求項６】
前記阻止機構は、前記戻り室の気体圧力が低下すると、前記阻止位置から前記待機位置へ作動する、請求項５記載の打込機。
【請求項７】
前記接触部材の作動力は、前記操作部材を通って前記第２バルブに伝達され、
前記待機位置で停止した前記阻止機構は、前記接触部材の作動力が前記第２バルブに伝達されることを可能とし、
前記阻止位置で停止した前記阻止機構は、前記前記接触部材の作動力が前記第２バルブに伝達されることを阻止する、請求項４記載の打込機。
【請求項８】
前記阻止機構は、前記戻り室の気体圧力が低下すると、前記阻止位置から前記待機位置へ作動し、かつ、前記待機位置で停止する、請求項７記載の打込機。
【請求項９】
前記打撃部は、第１位置と第２位置との間で作動可能であり、
前記打撃部が作動する前記第１方向は、前記第１位置から前記第２位置へ作動する方向であり、
前記打撃部が作動する前記第２方向は、前記第２位置から前記第１位置へ作動する方向であり、
前記打撃部は、前記接触部材が相手材から離間した後に前記第２位置から作動を開始し、かつ、前記所定時間内に前記第１位置に到達する、請求項３乃至８の何れか１項記載の打込機。
【請求項１０】
前記打撃部を前記第２位置で停止させるバンパが、前記ハウジング内に設けられ、
前記戻し室は、前記打撃部が前記バンパに接触していると、前記ハウジングの外部から遮断され、
前記戻し室は、前記打撃部が前記バンパから離間すると、前記ハウジングの外部につながる、請求項９記載の打込機。
【請求項１１】
前記阻止機構は、前記接触部材が相手材から離間した時点から、前記所定時間を超えた後に前記接触部材が相手材に接触すると、前記圧力室に気体が供給されることを可能とする、請求項１乃至１０の何れか１項記載の打込機。
【発明の詳細な説明】
【技術分野】
【０００１】
本発明は、操作力が付加及び解除される操作部材と、相手材に接触及び離間が可能な接触部材と、留具を打撃する方向に作動可能な打撃部と、を備えた打込機に関する。
【背景技術】
【０００２】
操作力が付加及び解除される操作部材と、相手材に接触及び離間が可能な接触部材と、留具を打撃する方向に作動可能な打撃部と、を備えた打込機の一例が、特許文献１に記載されている。特許文献１に記載された打込機は、ハウジング、シリンダ、バルブ、圧力室、エキゾーストバルブ室、エキゾーストバルブ、補助圧力室、蓄圧室、打撃部、操作部材としてのトリガ、接触部材としてのプッシュレバー、戻り空気室、射出部、マガジンを有する。また、トリガ及びプッシュレバーの作動力をバルブに伝達する機構が設けられている。マガジンは留具を収容し、留具は射出部に供給される。
【０００３】
使用者がトリガ及びプッシュレバーに対する操作力を解除すると、バルブは初期状態を保持する。初期状態にあるバルブは、蓄圧室と補助圧力室と接続し、かつ、蓄圧室とエキゾーストバルブ室を接続する。このため、シリンダは、バルブシートに押し付けられて停止し、シリンダは、蓄圧室と圧力室とを遮断する。また、エキゾーストバルブは、ハウジングの外部と圧力室とを接続する。したがって、打撃部はバルブシートに接触した上死点で停止する。
【０００４】
使用者がトリガに操作力を付加し、かつ、プッシュレバーを相手材に押し付けると、バルブは初期状態から作動状態に切り替わる。作動状態のバルブは、蓄圧室と補助圧力室と遮断し、かつ、蓄圧室とエキゾーストバルブ室とを遮断する。このため、シリンダは、バルブシートに押し付けられて停止し、シリンダは、蓄圧室と圧力室とを接続する。また、エキゾーストバルブは、ハウジングの外部と圧力室とを遮断する。すると、蓄圧室の圧縮空気が圧力室に供給され、打撃部は上死点から第１方向に作動し、打撃部は留具を打撃する。
【０００５】
使用者がプッシュレバーを相手材から離間させ、かつ、トリガに対する操作力を解除すると、バルブが作動状態から初期状態に戻る。打撃部はピストン下室の圧力で第２方向に作動し、かつ、打撃部は上死点で停止する。
【先行技術文献】
【特許文献】
【０００６】
【特許文献１】特開２０１５−５８４８６号公報
【発明の概要】
【発明が解決しようとする課題】
【０００７】
本願発明者は、打撃部が第１方向に作動した後、操作力が操作部材に付加された状態で、接触部材が相手材から離間し、かつ、使用者が意図せずに接触部が作動すると、打撃部が第１方向に作動する、という課題を認識した。
【０００８】
本発明の目的は、使用者が意図せずに打撃部が第１方向に作動することを抑制可能な打込機を提供することにある。
【課題を解決するための手段】
【０００９】
本発明は、操作力が付加及び解除される操作部材と、相手材に接触及び離間が可能な接触部材と、相手材に打ち込む留具を打撃する第１方向、前記第１方向とは逆の第２方向に作動可能な打撃部と、前記操作部材に操作力が付加されている状態で前記接触部材が相手材に接触すると気体が供給され、かつ、前記打撃部を気体の圧力で前記第１方向に作動させる圧力室と、を備えた打込機であって、前記打撃部が前記留具を打撃した後、前記接触部材が相手材から離間した時点から、所定時間内に前記接触部材が相手材に接触すると、前記圧力室に気体が供給されることを阻止する阻止機構が設けられている。
【発明の効果】
【００１０】
本発明は、使用者が意図せずに打撃部が第１方向に作動することを抑制可能である。
【図面の簡単な説明】
【００１１】
【図１】本発明の打込機の全体断面図である。
【図２】図１の打込機に設けたスリーブバルブ及びシリンダの断面図である。
【図３】図１の打込機に設けたトリガバルブ、シリンダ及び戻し室の断面図である。
【図４】図１の打込機に設けたストッパが待機位置で停止し、かつ、トリガが初期位置で停止している状態の断面図である。
【図５】ストッパが待機位置で停止し、かつ、トリガに操作力が付加された状態の断面図である。
【図６】ストッパが待機位置で停止し、かつ、トリガバルブが作動状態である断面図である。
【図７】ストッパが待機位置から作動し、かつ、トリガバルブが作動状態である断面図である。
【図８】ストッパが阻止位置で停止し、かつ、トリガバルブが初期状態である断面図である。
【図９】ストッパが阻止位置で停止し、かつ、トリガに操作力が付加された状態の断面図である。
【図１０】図１の打込機に設けるストッパの他の例であり、トリガが初期位置で停止している状態の断面図である。
【図１１】図１０に示すストッパが待機位置で停止し、かつ、トリガに操作力が付加された状態の断面図である。
【図１２】図１０に示すストッパが阻止位置で停止し、かつ、トリガに操作力が付加された状態の断面図である。
【図１３】打込機の状態を示すタイムチャートの一例である。
【発明を実施するための形態】
【００１２】
以下、本発明の一実施の形態について、図面を用いて詳細に説明する。図１に示す打込機１０は、ハウジング１１、射出部１２、打撃部１３、トリガ１４、プッシュレバー１５及びトリガバルブ１６を有する。ハウジング１１は、筒形状のボデー１７、ボデー１７に接続されたハンドル１８、ボデー１７の開口部を塞ぐヘッドカバー１９を有する。射出部１２は、ボデー１７に固定されている。また、マガジン２０が、射出部１２及びハンドル１８によって支持されている。トリガバルブ１６は、ボデー１７とハンドル１８との接続箇所に設けられている。
【００１３】
ボデー１７内、ハンドル１８内及びヘッドカバー１９内に亘って蓄圧室２１が形成されている。蓄圧室２１は、気体を収容する空間である。また、ハンドル１８の端部にプラグが設けられている。プラグにエアホースを接続すると、気体としての圧縮空気が、エアホースを通って蓄圧室２１へ供給される。
【００１４】
図２のように、シリンダ２２及び円筒状のスリーブバルブ２３が、ハウジング１１内に配置されている。シリンダ２２及びスリーブバルブ２３は、中心線Ａ１を中心として同心状に配置されている。中心線Ａ１は、シリンダ２２の中心である。シリンダ２２は、ハウジング１１内で移動しないように支持されている。スリーブバルブ２３は、シリンダ２２の径方向でシリンダ２２の外側に配置されている。スリーブバルブ２３は、シリンダ２２に対して中心線Ａ１に沿った方向に作動可能である。スリーブバルブ２３の外周面にシール部材８１が取り付けられている。
【００１５】
打撃部１３の一部はシリンダ２２内に配置され、打撃部１３は、シリンダ２２に対して中心線Ａ１に沿った方向に作動可能である。打撃部１３は、ピストン２４及びドライバブレード２５を有し、シール部材２６ピストン２４の外周面に取り付けられている。シール部材２６はシリンダ２２の内面に接触する。
【００１６】
アッパーカバー２７がヘッドカバー１９の内部に固定されている。ストッパ２８が、アッパーカバー２７とシリンダ２２との間に設けられている。ストッパ２８は合成ゴム製である。ストッパ２８とピストン２４との間にピストン上室２９が形成される。ハウジング１１内であって、シリンダ２２の外にスリーブバルブ室３１が形成されている。ハウジング１１内に通路３２が設けられ、スリーブバルブ室３１は通路３２につながっている。スプリング３０は、スリーブバルブ室３１に設けられている。
【００１７】
スリーブバルブ２３は、スプリング３０の付勢力、及びスリーブバルブ室３１の空気圧に応じた付勢力により、アッパーカバー２７へ近づく向きで付勢される。また、スリーブバルブ２３は、蓄圧室２１の圧力に応じた付勢力により、アッパーカバー２７から離間する向きに付勢される。スリーブバルブ２３とシリンダ２２との間に空間３３が形成されている。スリーブバルブ２３は、通路９０を有する。通路９０は、空間３３と、ハウジング１１の外部Ｂ１とをつないでいる。
【００１８】
図３のように、ハウジング１１内にバンパ３４が設けられている。バンパ３４は合成ゴム製である。バンパ３４は、軸孔３５を有し、バンパ３４の一部はシリンダ２２内に配置されている。バンパ３４は、射出部１２によって支持されている。ドライバブレード２５は、軸孔３５内で中心線Ａ１に沿った方向に移動可能である。シリンダ２２内において、ピストン２４とバンパ３４との間にピストン下室３６が形成されている。
【００１９】
ボデー１７内であってシリンダ２２の径方向の外側に、戻し室３７が形成されている。ボデー１７内に隔壁３８が設けられ、隔壁３８はシリンダ２２を径方向に位置決めする。また、隔壁３８は、蓄圧室２１と戻し室３７とを隔てる。シリンダ２２を径方向に貫通する通路３９，４０が設けられている。通路４０は、中心線Ａ１に沿った方向におけるピストン２４の位置に関わり無く、ピストン下室３６と戻し室３７とをつなぐ。
【００２０】
シリンダ２２の外面に逆止弁４１が取り付けられている。逆止弁４１は、合成ゴム製であり、かつ、環状である。逆止弁４１は、シリンダ２２内の空気圧で作動して通路３９を開く。逆止弁４１は、戻し室３７の空気圧または収縮力で通路３９を閉じる。逆止弁４１が通路３９を開くと、シリンダ２２内の空気は、通路３９を通って戻し室３７へ流出可能である。逆止弁４１が通路３９を閉じると、戻し室３７の空気は、通路３９からシリンダ２２内へ流入できない。
【００２１】
射出部１２は、ベース部４２及び筒部４３を有し、ベース部４２はボデー１７に固定されている。ベース部４２は、軸孔４４を有する。筒部４３はベース部４２に接続され、かつ、筒部４３はベース部４２から中心線Ａ１に沿った方向に突出している。筒部４３は射出路４５を有する。ドライバブレード２５は、軸孔４４及び射出路４５内で中心線Ａ１に沿った方向に移動可能である。
【００２２】
プッシュレバー１５は、射出部１２に取り付けられている。プッシュレバー１５は、射出部１２に対して中心線Ａ１に沿った方向に作動可能である。ガイド部４６及びホルダ４７が、ハウジング１１、一例としてボデー１７の外面に設けられている。ガイド部４６及びホルダ４７は、中心線Ａ１に沿った方向で、トリガバルブ１６と射出部１２との間に配置されている。ホルダ４７は筒形状であり、ホルダ４７は伝達部材４８を移動可能に支持している。
【００２３】
ガイド部４６は、コンタクト軸４９を移動可能に支持している。コンタクト軸４９は、伝達部材４８に接続されている。コンタクト軸４９及び伝達部材４８は、プッシュレバー１５と共に中心線Ａ２に沿った方向に移動可能である。中心線Ａ２は、中心線Ａ１と平行である。ガイド部４６は、ストッパ５６を有する。コンタクト軸４９はプレート５０を有する。スプリング５１が、ガイド部４６とプレート５０との間に配置されている。スプリング５１は、伝達部材４８をトリガバルブ１６から離間させる向きで付勢する。プッシュレバー１５及びコンタクト軸４９は、プレート５０がホルダ４７に押し付けられていると初期位置で停止する。
【００２４】
マガジン２０は釘５２を収容する。複数の釘５２が互いに連結され、かつ、渦巻き状に並んだ状態でマガジン２０内に収容される。送り機構５３がマガジン２０に設けられ、送り機構５３は、マガジン２０内の釘５２を射出路４５へ送る。
【００２５】
図４に示すように、トリガ１４は、ハウジング１１、一例としてボデー１７に取り付けられている。トリガ１４は支持軸５４を中心として作動可能である。スプリング５５がボデー１７の外に設けられ、スプリング５５は、トリガ１４を図４における時計回りに付勢する。スプリング５５に付勢されるトリガ１４は、ガイド部４６に接触した初期位置で停止する。トリガアーム５７がトリガ１４に取り付けられている。トリガアーム５７は支持軸５８を中心として作動可能である。スプリング５９が設けられている。スプリング５９は、トリガアーム５７を図４における反時計回りに付勢する。スプリング５９に付勢されるトリガアーム５７は、ストッパ５６に接触して初期位置で停止する。
【００２６】
トリガバルブ１６は、収容部６８、プランジャ６０、第１ブッシュ６１、第２ブッシュ６２、弁体６３及びスプリング７３を有する。収容部６８は、ハウジング１１によって形成されたケーシングである。第１ブッシュ６１及び第２ブッシュ６２は、収容部６８内に設けられている。第１ブッシュ６１及び第２ブッシュ６２は、共に筒形状である。第１ブッシュ６１及び第２ブッシュ６２は、中心線Ａ３を中心として同心状に配置されている。中心線Ａ３は、中心線Ａ２と平行である。弁体６３は筒形状であり、弁体６３は、第１ブッシュ６１内及び第２ブッシュ６２内に亘って配置されている。弁体６３は、第１ブッシュ６１及び第２ブッシュ６２に対して中心線Ａ３に沿って作動可能である。弁体６３は、突起８２を有する。突起８２は、弁体６３からトリガ１４に近づく向きで突出している。
【００２７】
第２ブッシュ６２内で弁体６３と第２ブッシュ６２との間に空気室６４が形成されている。第２ブッシュ６２は通路６５を有し、収容部６８は通路６６を有する。第２ブッシュ６２は軸孔６７を有し、プランジャ６０の一部は軸孔６７に配置されている。蓄圧室２１は、通路６５、通路６６及び軸孔６７によって蓄圧室２１につながる。
【００２８】
第２ブッシュ６２は通路６９を有する。第２ブッシュ６２内で第１ブッシュ６１と弁体６３との間に空気室８０が形成されている。また、第１ブッシュ６１と弁体６３との間に空気室７０が形成されている。蓄圧室２１は、通路６６、通路６９及び空気室８０によって空気室７０につながる。第１ブッシュ６１は、通路７１を有し、空気室７０は通路７１によって、常に、通路３２につながっている。
【００２９】
プランジャ６０は、弁体６３内及び軸孔６７内に亘って配置されている。プランジャ６０は、弁体６３及び第２ブッシュ６２に対して中心線Ａ３に沿って作動可能である。プランジャ６０はフランジ７２を有し、スプリング７３は弁体６３内に設けられている。スプリング７３はフランジ７２及び弁体６３に押し付けられている。弁体６３は、スプリング７３により、トリガ１４から離間する向きに付勢される。プランジャ６０は、スプリング７３により、トリガ１４に近づく向きで付勢される。収容部６８内及び弁体６３内に亘って排気室７４が形成されている。通路８４がハウジング１１に設けられ、通路８４は、排気室７４と外部Ｂ１とをつないでいる。
【００３０】
ストッパ７５が、ハウジング１１、一例としてボデー１７に取り付けられている。ストッパ７５は、弁体６３が中心線Ａ３に沿った方向に作動することを阻止する要素である。ストッパ７５は、中心線Ａ３に対して交差する方向に作動可能である。ボデー１７にスリーブ７６が設けられている。第２ブッシュ６２に軸孔７７が設けられている。
【００３１】
ストッパ７５は、シャフトであり、スリーブ７６内及び軸孔７７内に配置されている。ストッパ７５は軸孔７７から第２ブッシュ６２内に進入し、かつ、弁体６３の作動範囲へ進入及び退出可能である。スプリング７８がボデー１７の外に設けられている。スプリング７８は、一例として金属製である。ストッパ７５は、スプリング７８の付勢力により、第２ブッシュ６２の外に向けて付勢される。ストッパ７５はフランジ７９を有し、フランジ７９がスリーブ７６に押し付けられてストッパ７５が停止する。ストッパ７５の作動方向における端部は、戻し室３７に配置されている。ストッパ７５は、戻し室３７の空気圧により、スプリング７８の付勢力に抗して第２ブッシュ６２内に向けて付勢される。
【００３２】
使用者は、打込機１０の使用形態として、第１モード及び第２モードを選択可能である。第１モードは、トリガ１４に操作力を付加した状態で、プッシュレバー１５を相手材Ｗ１に押し付ける操作と、プッシュレバー１５を相手材Ｗ１から離間させる操作と、を交互に繰り返し、打撃部１３を往復作動させる連発打ちモードである。
【００３３】
第２モードは、プッシュレバー１５を相手材Ｗ１に押し付けた後に、トリガ１４に操作力を付加して打撃部１３を上死点から作動させた後、プッシュレバー１５を相手材Ｗ１から離間させ、かつ、トリガ１４に対する操作力を解除する単発打ちモードである。
【００３４】
ここでは、使用者が第１モードを選択する例について説明する。先ず、使用者がプッシュレバー１５を相手材Ｗ１から離間させていると、プレート５０がホルダ４７に押し付けられて、コンタクト軸４９及びプッシュレバー１５が、初期位置で停止している。初期位置で停止しているコンタクト軸４９は、トリガアーム５７から離間している。また、使用者がトリガ１４に対する操作力を解除していると、トリガ１４はガイド部４６に接触した初期位置で停止している。そして、トリガアーム５７は、図４のようにストッパ５６に接触した初期位置で停止している。
【００３５】
初期位置で停止しているトリガアーム５７は、プランジャ６０から離間している。スプリング７３により付勢されるプランジャ６０は、フランジ７２が第２ブッシュ６２に押し付けられた初期位置で停止している。プランジャ６０が初期位置で停止していると、蓄圧室２１は、通路６５及び軸孔６７によって空気室６４につながる。また、初期位置で停止したプランジャ６０は、空気室６４と排気室７４とを遮断している。さらに、スプリング７３により付勢される弁体６３は、第１ブッシュ６１に押し付けられた初期位置で停止している。弁体６３が初期位置で停止していると、蓄圧室２１は、通路６９、空気室８０及び空気室７０によって通路７１につながる。また、弁体６３は、排気室７４と空気室７０とを遮断している。
【００３６】
このように、プランジャ６０が初期位置で停止し、かつ、弁体６３が初期位置で停止している状態が、トリガバルブ１６の初期状態である。トリガバルブ１６が初期状態であると、蓄圧室２１の圧縮空気は、通路６９、空気室８０，７０、通路７１及び通路９０を通ってスリーブバルブ室３１に供給される。
【００３７】
スリーブバルブ２３は、図２のように、スプリング３０の付勢力でアッパーカバー２７へ押し付けられた初期位置で停止している。初期位置で停止しているスリーブバルブ２３は、蓄圧室２１とピストン上室２９とを遮断している。また、スリーブバルブ２３は、シール部材８１から離間し、ピストン上室２９は、空間３３及び通路９０によって外部Ｂ１につながっている。このように、スリーブバルブ２３が初期位置で停止している状態が、スリーブバルブ２３の初期状態である。スリーブバルブ２３が初期状態であると、ピストン上室２９は大気圧である。さらに、ピストン２４は、図２のようにストッパ２８に接触し、かつ、シール部材２６とシリンダ２２の内面との係合力、またはシール部材２６とシリンダ２２の内面との摩擦力により、打撃部１３が上死点で停止している。
【００３８】
また、ドライバブレード２５の一部は、軸孔４４に位置する。ピストン下室３６は、ドライバブレード２５の外面と、軸孔４４の内面との隙間によって、外部Ｂ１につながっている。つまり、ピストン下室３６及び戻し室３７は、略大気圧である。さらに、ストッパ７５は、図４のようにフランジ７９がスリーブ７６に接触した待機位置で停止している。待機位置で停止しているストッパ７５の先端は、弁体６３の作動範囲外に位置する。
【００３９】
使用者がトリガ１４に操作力を付加すると、トリガ１４は図４で反時計回りに作動し、かつ、トリガ１４は、図５のように第２ブッシュ６２に接触した作動位置で停止する。また、プッシュレバー１５が相手材Ｗ１から離間しているため、コンタクト軸４９は初期位置で停止し、かつ、トリガバルブ１６は初期状態を保持する。さらに、ストッパ７５は、待機位置で停止している。
【００４０】
使用者が、トリガ１４に操作力を付加した状態で、プッシュレバー１５を相手材Ｗ１に押し付けると、プッシュレバー１５がバンパ３４に近づく向きで作動する。プッシュレバー１５の作動力は、伝達部材４８を介してコンタクト軸４９に伝達され、コンタクト軸４９はスプリング５１の付勢力に抗してトリガバルブ１６に近づく向きで作動する。プレート５０がガイド部４６に接触すると、コンタクト軸４９が作動位置で停止し、かつ、プッシュレバー１５が作動位置で停止する。
【００４１】
コンタクト軸４９が初期位置から作動位置へ作動中、コンタクト軸４９は、トリガアーム５７に押し付けられる。トリガアーム５７は、図４で時計回りに作動し、トリガアーム５７が、図６のようにプランジャ６０に押し付けられる。プランジャ６０は、初期位置からスプリング７３の付勢力に抗して作動する。トリガアーム５７が停止すると、プランジャ６０は作動位置で停止する。
【００４２】
プランジャ６０が作動位置で停止すると、空気室６４と通路６５とが遮断され、空気室６４は、排気室７４によって外部Ｂ１につながる。また、空気室７０と空気室８０とが遮断される。このため、弁体６３は、空気室８０の空気圧でスプリング７３の付勢力に抗してトリガ１４に近づく向きで作動し、弁体６３は第２ブッシュ６２に接触した作動位置で停止する。このように、弁体６３が作動位置で停止、つまり、トリガバルブ１６が作動状態で停止すると、空気室７０と排気室７４とがつながる。したがって、スリーブバルブ室３１内の空気は、通路３２、通路７１及び排気室７４を通って外部Ｂ１に排出される。
【００４３】
すると、スリーブバルブ２３は、蓄圧室２１の空気圧でアッパーカバー２７から離間する向きで作動し、かつ、スリーブバルブ２３が作動位置で停止する。作動位置で停止したスリーブバルブ２３は、シール部材８１に押し付けられ、かつ、ピストン上室２９と外部Ｂ１とを遮断する。また、ピストン上室２９と蓄圧室２１とが接続され、ピストン上室２９内の空気圧が上昇する。したがって、打撃部１３は、ピストン上室２９の空気圧で上死点から第１方向Ｃ１で作動、つまり、下降する。打撃部１３が下降すると、ドライバブレード２５は射出路４５の釘５２を打撃し、釘５２は相手材Ｗ１に打ち込まれる。
【００４４】
打撃部１３が下降中、シール部材２６が通路３９とバンパ３４との間に位置していると、ピストン上室２９の空気圧で逆止弁４１が通路３９を開き、ピストン上室２９の空気は、通路３９を通り戻し室３７へ流入する。戻し室３７の空気圧が上昇する。
【００４５】
そして、ピストン上室２９の空気圧と、戻し室３７の空気圧とが等しくなると、ピストン上室２９の空気は戻し室３７へ流入しなくなる。また、逆止弁４１が通路３９を閉じ、逆止弁４１は、戻し室３７の空気がピストン上室２９に逆流することを阻止する。
【００４６】
さらに、釘５２が相手材Ｗ１に完全に打ち込まれた後、図３に二点鎖線で示すようにピストン２４がバンパ３４に衝突する。バンパ３４は、打撃部１３の運動エネルギを吸収し、打撃部１３が停止する。ピストン２４がバンパ３４に接触している状態が、打撃部１３の下死点である。打撃部１３が下死点で停止した時点において、ピストン２４が軸孔３５を塞ぐ。このため、戻し室３７及びピストン下室３６の空気圧は、蓄圧室２１の空気圧と略同じに保持される。戻し室３７の空気圧が上昇する過程で、ストッパ７５は、スプリング７８の付勢力に抗して待機位置から作動する。ストッパ７５は、図７のように、突起８２に接触した中間位置で停止する。
【００４７】
トリガ１４に操作力が付加された状態において、釘５２を相手材Ｗ１に打ち込んだ反動、または、使用者の操作により、プッシュレバー１５が相手材Ｗ１から離間すると、プッシュレバー１５及びコンタクト軸４９は、スプリング５１の付勢力で作動位置から作動する。プレート５０がホルダ４７に接触すると、プッシュレバー１５及びコンタクト軸４９は、それぞれ初期位置で停止する。コンタクト軸４９が作動位置から初期位置へ作動する過程で、トリガアーム５７は、スプリング５９の付勢力で図７において反時計回りに作動して停止する。
【００４８】
このため、プランジャ６０が作動位置から初期位置へ作動して停止する。すると、空気室６４は、通路６５によって蓄圧室２１につながる。また、空気室６４と排気室７４とが遮断される。その結果、弁体６３は、蓄圧室２１の空気圧で作動位置から初期位置へ作動し、弁体６３は、図８に示す初期位置で停止する。このようにして、トリガバルブ１６は作動状態から初期状態に切り替わる。
【００４９】
また、弁体６３が作動位置から初期位置へ移動すると、ストッパ７５は戻し室３７の空気圧でプランジャ６０に近づく向きで作動し、図８のように、ストッパ７５の先端が第２ブッシュ６２に接触した阻止位置で、ストッパ７５が停止する。阻止位置で停止したストッパ７５の一部は、突起８２の作動範囲に位置する。
【００５０】
一方、初期状態のトリガバルブ１６は、通路３２と蓄圧室２１とを接続し、かつ、通路３２と排気室７４とを遮断する。このため、スリーブバルブ２３は、アッパーカバー２７に近づく向きで作動し、スリーブバルブ２３がアッパーカバー２７に接触した初期位置で停止する。つまり、スリーブバルブ２３は、作動状態から初期状態に切り替わる。したがって、ピストン上室２９の空気圧が低下し、かつ、ピストン上室２９の空気圧が略大気圧と同じになる。すると、打撃部１３は、ピストン下室３６の空気圧で下死点から上死点に向けて第２方向Ｃ２で作動、つまり、上昇し、打撃部１３は上死点で停止する。
【００５１】
打撃部１３が下死点から上昇を開始すると、ピストン２４がバンパ３４から離間し、戻し室３７の空気は、ピストン下室３６、軸孔３５及びドライバブレード２５と軸孔４４の内面との隙間を通って外部Ｂ１に排出される。このため、戻し室３７の空気圧が低下する。打撃部１３が上死点で停止した後、戻し室３７の空気圧は、略大気圧と同じになる。戻し室３７の空気圧が低下すると、ストッパ７５は、スプリング７８の付勢力で阻止位置から待機位置に向けて作動し、ストッパ７５は、図５に示す待機位置で停止する。つまり、ストッパ７５の全部は、突起８２の作動範囲外に位置する。ストッパ７５が待機位置で停止する時期は、打撃部１３が上死点に到達した時点よりも後、または、打撃部１３が上死点に到達した時点と同時の何れでもよい。
【００５２】
以後、トリガ１４に操作力を付加した状態で、プッシュレバー１５を相手材Ｗ１に接触させる操作と、プッシュレバー１５を相手材Ｗ１から離間させる操作とを繰り返し、複数の釘５２を順次、相手材Ｗ１に打ち込むことが可能である。
【００５３】
一方、プッシュレバー１５が相手材Ｗ１から離間した時点から所定時間内において、ストッパ７５は、図８に示す阻止位置で停止している。つまり、ストッパ７５の一部は、突起８２の作動範囲に位置する。そして、プッシュレバー１５が相手材Ｗ１から離間した時点から、所定時間内にプッシュレバー１５が相手材Ｗ１に再度、接触する場合を説明する。
【００５４】
この場合、コンタクト軸４９は、図８に示す初期位置から動位置へ作動し、コンタクト軸４９は、図９に示す作動位置で停止する。コンタクト軸４９の作動力でプランジャ６０が初期位置から作動位置へ移動し、プランジャ６０は作動位置で停止する。すると、弁体６３は、空気室８０の圧力で初期位置から作動位置へ向かう付勢力を受ける。しかし、ストッパ７５が突起８２に係合する。つまり、ストッパ７５は、弁体６３が初期位置から作動位置へ作動することを阻止する。
【００５５】
このように、プッシュレバー１５が相手材Ｗ１から離間した時点から、所定時間内にプッシュレバー１５が相手材Ｗ１に再度接触しても、ピストン上室２９に圧縮空気は供給されない。所定時間は、例えば、プッシュレバー１５が相手材Ｗ１から離間した時点から、ストッパ７５が待機位置に戻って停止するまでの時間を意味する。つまり、打撃部１３が上死点に到達する前に、打撃部１３の作動方向が切り替わって下死点に向けて作動することは無い。したがって、使用者の意図に反して打撃部１３が下降することを防止できる。例えば、相手材Ｗ１に打ち込んだ釘５２の上に、別の釘５２が打ち込まれることを回避できる。言い換えると、プッシュレバー１５が相手材Ｗ１から離間した時点から、所定時間を超えた時点でプッシュレバー１５が相手材Ｗ１に接触すると、打撃部１３は上死点から下死点に向けて作動する。
【００５６】
次に、使用者が第２モードを選択する例を説明する。使用者がプッシュレバー１５を相手材Ｗ１に押し付けると、コンタクト軸４９は初期位置から作動位置へ作動して停止する。トリガ１４に対する操作力が解除されているため、コンタクト軸４９の作動力はプランジャ６０に伝達されず、トリガバルブ１６は初期状態を保持している。
【００５７】
プッシュレバー１５が相手材Ｗ１に押し付けられている状態で、トリガ１４に操作力を付加すると、トリガアーム５７はコンタクト軸４９の先端を支点として作動する。トリガアーム５７の作動力はプランジャ６０に伝達され、トリガバルブ１６が、図４に示す初期状態から、図６に示す作動状態に切り替わる。このため、打撃部１３は上死点から下死点に向けて作動する。ドライバブレード２５が釘５２を相手材Ｗ１に打ち込む。
【００５８】
使用者が第２モードを選択した場合、ストッパ７５は、使用者が第１モードを選択したた場合と同様に動作する。しかし、使用者が第２モードを選択し、かつ、トリガ１４に操作力が加わった状態でプッシュレバー１５を相手材Ｗ１から離間させると、トリガアーム５７がコンタクト軸４９の作動範囲外へ移動する。
【００５９】
ここで、再びプッシュレバー１５が相手材Ｗ１に接触しても、コンタクト軸４９はトリガアーム５７に作動力を伝達しない。つまり、トリガバルブ１６は初期状態に保持され、打撃部１３は上死点に停止している。よって、打撃部１３を上死点から作動させるためには、一度トリガ１４の操作力を解除し、再び、トリガ１４に操作力を付加する必要がある。つまり、トリガ１４に前回操作力を付加した時点から、トリガ１４に今回操作力を付加するまでの間に、一定の時間間隔が発生する。そのため、使用者が第２モードを選択すると、打撃部１３が釘５２を打撃する回数毎にストッパ７５は待機位置から動作するが、ストッパ７５は、弁体６３の作動を阻止しない。
【００６０】
次に、プッシュレバー１５が相手材Ｗ１から離間した時点から所定時間内に、プッシュレバー１５が相手材Ｗ１に押し付けられた場合に、打撃部１３が下死点に向けて作動することを防止するストッパ７５の他の例を、図１０、図１１及び図１２を参照して説明する。ストッパ７５の他の例は、図１の打込機１０に設けられる。図１０ストッパ７５の他の例は、プッシュレバー１５の作動力が、トリガバルブ１６のプランジャ６０に伝達されることを阻止する。
【００６１】
ストッパ７５は、ガイド部４６に対して作動可能に設けられている。ストッパ７５が中心線Ａ３に対して交差する方向に作動すると、ストッパ７５の一部は、コンタクト軸４９の作動範囲に進入及び退出する。スプリング７８は、ストッパ７５を、コンタクト軸４９から離間させる向きで付勢する。コンタクト軸４９は、係合部８３を有する。弁体６３は、図４に示す突起８２を備えていない。
【００６２】
使用者が図１０のストッパ７５を有する打込機１０を使用し、かつ、使用者が第１モードを選択する例を説明する。使用者がトリガ１４に対する操作力を解除し、かつ、プッシュレバー１５を相手材Ｗ１から離間させていると、コンタクト軸４９及びプッシュレバー１５は、初期位置で停止している。また、トリガバルブ１６は、図１０のように初期状態を保持する。さらに、ストッパ７５は待機位置で停止している。待機位置で停止しているストッパ７５の全部は、コンタクト軸４９の作動範囲外に位置する。
【００６３】
次に、使用者がトリガ１４に操作力を付加し、かつ、プッシュレバー１５を相手材Ｗ１に押し付ける。すると、コンタクト軸４９が、図１１のように初期位置から作動し、コンタクト軸４９の作動力は、トリガアーム５７を介してプランジャ６０に伝達される。このため、トリガバルブ１６は初期状態から作動状態に切り替わる。したがって、打撃部１３は上死点から下死点に向けて作動し、打撃部１３が釘５２を相手材Ｗ１に打ち込む。打撃部１３が上死点から下死点に向けて作動すると、戻し室３７の圧力が上昇する。ストッパ７５は、戻し室３７の空気圧により、スプリング７８の付勢力に抗してコンタクト軸４９に付かづく向きで付勢される。しかし、コンタクト軸４９は、ストッパ７５の作動範囲内にいるため、ストッパ７５は阻止位置まで動作しない。また、打撃部１３は、図１１に示す下死点に到達する。
【００６４】
プッシュレバー１５が相手材Ｗ１から離間すると、コンタクト軸４９は、図１２のように、作動位置から初期位置に移動して、コンタクト軸４９は、ストッパ７５の作動範囲外に停止する。また、トリガバルブ１６が作動状態から初期状態に切り替わり、打撃部１３は下死点から上死点に向けて作動する。さらに、コンタクト軸４９がストッパ７５の作動範囲外に移動している。このため、ストッパ７５は、戻し室３７の空気圧でスプリング７８の付勢力に抗して待機位置から作動する。ストッパ７５は、図１２に示す阻止位置で停止する。
【００６５】
阻止位置で停止したストッパ７５の一部は、コンタクト軸４９の作動範囲内に位置する。打撃部１３が下死点から上死点に向けて作動すると、ピストン２４がバンパ３４から離間し、戻し室３７の空気が徐々に低下する。このため、ストッパ７５は阻止位置から作動位置へ向けて作動する。プッシュレバー１５が相手材Ｗ１から離間した時点から所定時間内であると、ストッパ７５の一部は、コンタクト軸４９の作動範囲内に位置する。所定時間の意味は、前述と同じである。
【００６６】
プッシュレバー１５が相手材Ｗ１から離間した時点から所定時間を超えると、ストッパ７５は待機位置に戻って停止する。このため、プッシュレバー１５が相手材Ｗ１から離間した時点から、所定時間を超えた以降にプッシュレバー１５が相手材Ｗ１に押し付けられると、コンタクト軸４９は初期位置から作動でき、トリガバルブ１６は初期状態から作動状態に切り替わる。すると、打撃部１３は上死点から下死点に向けて作動する。さらに、使用者がトリガ１４に操作力を付加した状態で、プッシュレバー１５を相手材Ｗ１に押し付ける操作と、プッシュレバー１５を相手材Ｗ１から離間させる操作とを繰り返し、複数の釘５２を、順次、相手材Ｗ１に打ち込むことが可能である。
【００６７】
一方、プッシュレバー１５が相手材Ｗ１から離間した時点から所定時間内に、プッシュレバー１５が相手材Ｗ１に接触すると、ストッパ７５は係合部８３に係合する。このため、コンタクト軸４９の作動力はトリガアーム５７に伝達されないか、または、コンタクト軸４９は初期位置から作動できない。つまり、トリガバルブ１６は初期状態に保持される。したがって、相手材Ｗ１に打ち込んだ釘５２の上に、別の釘５２が打ち込まれることを回避できる。
【００６８】
次に、使用者が図１０のストッパ７５を有する打込機１０を使用するにあたり、第２モードを選択する例を説明する。プッシュレバー１５が相手材Ｗ１に押し付けられている状態で、トリガ１４に操作力を付加すると、トリガバルブ１６が、図１０に示す初期状態から、図１１に示す作動状態に切り替わる。このため、打撃部１３は上死点から下死点に向けて作動し、ドライバブレード２５が釘５２を相手材Ｗ１に打ち込む。
【００６９】
使用者が第２モードを選択すると、ストッパ７５は、使用者が第１モードを選択した時と同様に動作する。ストッパ７５の動作は、使用者が、図４のストッパ７５を有する打込機１０を使用するにあたり第２モードを選択した場合におけるストッパ７５の動作とは異なる。つまり、プッシュレバー１５が相手材Ｗ１から離間した時点から、所定時間以内にプッシュレバー１５が相手材Ｗ１に接触すると、ストッパ７５がプッシュレバー１５の動作を阻止する。
【００７０】
しかし、打撃部１３が釘５２を前回打撃した後、打撃部１３で釘５２を今回打撃させるためには、トリガ１４の操作力を一度解除しなければならない。このため、プッシュレバー１５の動作の阻止は、意図しない打ち込みを防止する役割はない。また、使用者が第２モードを選択すると、プッシュレバー１５を相手材Ｗ１に押し付け、かつ、離間する操作と、トリガ１４に操作力を付加及び解除する操作と、を繰り返し行う。したがって、ストッパ７５がプッシュレバー１５の動作を阻止しても、使用者の作業が阻害されることにはならない。
【００７１】
図１３は、打込機１０の状態を示すタイムチャートの一例である。図１３には、打撃部１３の位置、ストッパ７５の位置、プランジャ６０の位置、蓄圧室２１の圧力、戻し室３７の圧力が示されている。図１３に示す阻止位置及び待機位置は、ストッパ７５の位置である。
【００７２】
プッシュレバー１５は、時刻Ｔ１よりも前において相手材Ｗ１から離間している。プランジャ６０は、時刻Ｔ１よりも前において初期位置で停止している。打撃部１３は、時刻Ｔ１よりも前において上死点で停止している。戻し室３７の圧力は、時刻Ｔ１よりも前において大気圧である。ストッパ７５は、時刻Ｔ１よりも前において待機位置で停止している。
【００７３】
トリガ１４に操作力が付加された状態で、プッシュレバー１５が時刻Ｔ１で相手材Ｗ１に押し付けられると、プランジャ６０が初期位置から作動位置へ向けて作動する。つまり、トリガバルブ１６が初期状態から作動状態に切り替わる。すると、打撃部１３が上死点から下死点に向けて作動し、かつ、蓄圧室２１の圧力が低下する。さらに、打撃部１３の作動によって逆止弁４１が開き、かつ、蓄圧室２１の圧縮空気が戻し室３７に流れ込み、戻し室３７の圧力が上昇する。このため、ストッパ７５が待機位置から阻止位置へ向けて作動する。
【００７４】
打撃部１３は釘５２を打撃し、かつ、時刻Ｔ２で下死点に到達する。また、蓄圧室２１の圧力及び戻し室３７の空気圧は、圧縮空気の供給装置からの空気の供給により共に上昇する。圧縮空気の供給装置は、一例としてコンプレッサである。次いで、プッシュレバー１５が時刻Ｔ３で相手材Ｗ１から離間すると、プランジャ６０が作動位置から初期位置へ向けて作動する。プランジャ６０は、時刻Ｔ４に初期位置で停止する。つまり、トリガバルブ１６が作動状態から初期状態に切り替わり、ピストン上室２９が大気圧になる。すると、ピストン２４が時刻Ｔ５でバンパ３４から離間し、打撃部１３は上死点に向けて作動する。ピストン２４がバンパ３４から離間すると、戻し室３７の圧力が低下し、蓄圧室２１の圧力は上昇を継続する。
【００７５】
打撃部１３が時刻Ｔ６で上死点に到達した後、ストッパ７５が阻止位置から作動位置へ向けて作動する。ストッパ７５が、時刻Ｔ７で待機位置に停止した後、戻り室３７の圧力は大気圧まで低下する。図１３に示す時刻Ｔ３から時刻Ｔ７までの時間が、実施形態で説明した所定時間の一例である。また、打撃部１３は、時刻Ｔ３よりも後の時刻Ｔ５で下死点から上死点に向けて作動を開始し、打撃部１３は、時刻Ｔ７よりも前の時刻Ｔ６で上死点に到達する。
【００７６】
そして、時刻Ｔ３から時刻Ｔ７までの間、つまり、時刻Ｔ３から所定時間内にプッシュレバー１５が相手材Ｗ１に接触すると、ストッパ７５の一部が弁体６３の突起８２の作動領域、またはコンタクト軸４９の係合部８３の作動領域に位置するため、打撃部１３は、第１方向Ｃ１で作動しない。
【００７７】
本実施形態において、所定時間は、ストッパ７５を付勢するスプリングの付勢力によって変わる。ストッパ７５が待機状態で停止している状態で、第１スプリングと、第１スプリングよりも付勢力が低い第２スプリングとを比較する。第１スプリングに対応する所定時間は、第２スプリングに対応する所定時間よりも短い。ストッパ７５を付勢する付勢部材は、金属製のスプリングに代えて、合成ゴムを用いることも可能である。
【００７８】
さらに、ストッパ７５を、待機位置から作動位置へ作動させるアクチュエータを設けることも可能である。アクチュエータは、一例としてソレノイドを含む。ソレノイドは、電力が供給されるとストッパ７５を作動させる吸引力を発生する。ストッパ７５は、磁性材料、例えば鉄製とする。そして、電源、一例として直流電源をハウジング１１またはマガジン２０に設ける。さらに、プッシュレバー１５の作動を検知するセンサと、センサの信号に応じて電源の電流を、アクチュエータに供給または停止する制御部と、を設ける。
【００７９】
本実施形態で開示した事項の技術的意味の一例は、次の通りである。打込機１０は、打込機の一例である。トリガ１４は、操作部材の一例である。プッシュレバー１５は、接触部材の一例である。第１方向Ｃ１は、第１方向の一例である。第２方向Ｃ２は、第２方向の一例である。打撃部１３は、打撃部の一例である。打撃部１３の上死点は、打撃部の第１位置の一例である。打撃部１３の下死点は、打撃部の第２位置の一例である。
【００８０】
ピストン上室２９は、圧力室の一例である。ハウジング１１は、ハウジングの一例である。蓄圧室２１は、蓄圧室の一例である。トリガバルブ１６及びスリーブバルブ２３は、切替機構の一例である。スリーブバルブ２３は、第１バルブの一例である。トリガバルブ１６は、第２バルブの一例である。スリーブバルブ２３がアッパーカバー２７に押し付けられている状態は、第１バルブの遮断状態の一例である。スリーブバルブ２３がアッパーカバー２７から離間している状態は、第１バルブの接続状態の一例である。トリガバルブ１６の初期状態は、第２バルブの第１状態の一例である。トリガバルブ１６の作動状態は、第２バルブの第２状態の一例である。戻し室３７は、戻し室の一例である。ストッパ７５は、阻止機構の一例である。ストッパ７５の待機位置は、阻止機構の待機位置の一例である。ストッパ７５の阻止位置は、阻止機構の阻止位置の一例である。
【００８１】
弁体６３は、作動部材の一例である。弁体６３の初期位置は、第２バルブの初期状態の一例である。弁体６３の作動位置は、第２バルブの作動状態の一例である。バンパ３４は、バンパの一例である。釘５２は、留具の一例である。
【００８２】
本発明は前記実施の形態に限定されるものではなく、その要旨を逸脱しない範囲で種々変更可能であることは言うまでもない。操作部材は、操作力が付加されて作動する要素であり、操作部材は、トリガ、アーム、レバー、ボタン等を含む。操作部材の作動は、所定角度内での回転、または、所定範囲内での往復作動の何れでもよい。接触部材は、相手材に接触または離間して作動可能な要素であり、接触部材は、プッシュレバー、シャフト、アーム等を含む。
【００８３】
圧力室と蓄圧室とを接続及び遮断する第１バルブは、スリーブバルブ、ヘッドバルブ、シリンダバルブ等を含む。図示したスリーブバルブ２３は、スリーブバルブの一例である、スリーブバルブは、シリンダの外周面に取り付けられ、かつ、シリンダの中心線に沿った方向に作動可能である。
【００８４】
ヘッドバルブはハウジングに対して作動可能である。ヘッドバルブは、蓄圧室から供給される気体の圧力で、ハウジングに対して作動可能である。ヘッドバルブが作動すると、へッドバルブがシリンダの開口端に接触及び離間して、圧力室と蓄圧室とを接続及び遮断する。留具は、軸形状の釘、アーチ形状の釘を含む。
【００８５】
シリンダバルブは、シリンダがハウジングに対してシリンダの中心線方向に作動可能である。バルブシートがハウジングに固定して設けられている。シリンダバルブは、蓄圧室から供給される気体の圧力で、ハウジングに対して作動可能である。シリンダバルブがハウジングに対して作動すると、シリンダバルブがバルブシートに接触及び離間して、圧力室と蓄圧室とを接続及び遮断する。
【００８６】
圧力室及び戻し室、それぞれ気体が供給及び排出される空間、隙間、通路等を含む。阻止機構は、作動要素の作動範囲に対して進入及び退出可能な要素であり、阻止機構は、シャフト、係合部材、アーム、ピン等を含む。切替機構は、圧力室に対する気体の供給と遮断とを切り替える機構である。切替機構は、バルブを含む。蓄圧室は、気体を収容する空間である。バンパは、打撃部の作動範囲を規制し、かつ、第１方向に作動する打撃部の運動エネルギの一部を吸収する要素である。バンパは、合成ゴム製のバンパ、エアバンパの何れでもよい。ハウジングは、筒部材、ボデー、ケーシングを含む。蓄圧室に供給する気体は、圧縮空気に代えて不活性ガス、例えば、窒素ガスまたは希ガスであってもよい。
【符号の説明】
【００８７】
１０…打込機、１１…ハウジング、１３…打撃部、１４…トリガ、１５…プッシュレバー、１６…トリガバルブ、２１…蓄圧室、２３…スリーブバルブ、２９…ピストン上室、３４…バンパ、３７…戻し室、６３…弁体、７５…ストッパ、Ｃ１…第１方向、Ｃ２…第２方向
【図１】
2020146821.tif 000003
【図２】
2020146821.tif 000004
【図３】
2020146821.tif 000005
【図４】
2020146821.tif 000006
【図５】
2020146821.tif 000007
【図６】
2020146821.tif 000008
【図７】
2020146821.tif 000009
【図８】
2020146821.tif 000010
【図９】
2020146821.tif 000011
【図１０】
2020146821.tif 000012
【図１１】
2020146821.tif 000013
【図１２】
2020146821.tif 000014
【図１３】
2020146821.tif 000015